(57)【要約】【課題】新たな部品の追加を行なうことなく、かつ簡単に、偏向ヨークから発生する漏洩磁界を効果的に低減することが可能な偏向ヨーク装置を提供する。【解決手段】偏向ヨークに近接して配置された少なくとも１枚の補正回路用プリント基板４とを備えた偏向ヨーク装置において、補正回路用プリント基板４に、偏向ヨークからの漏洩磁界を打ち消す向きの磁界を発生するプリント配線パターン５が形成されている。プリント配線パターンは渦巻き状であり、水平偏向電流が流れる。【選択図】　図１
2004014347.tif 000002
【特許請求の範囲】
【請求項１】
電子ビームを水平偏向するための水平偏向磁界を発生する水平偏向コイルと、電子ビームを垂直偏向するための垂直偏向磁界を発生する垂直偏向コイルとを有する偏向ヨークと、前記偏向ヨークに近接して配置された少なくとも１枚の補正回路用プリント基板とを備えた偏向ヨーク装置において、
前記補正回路用プリント基板に、水平偏向電流または水平偏向電流に同期した電流が流れる、渦巻き状のプリント配線パターンが形成されていることを特徴とする偏向ヨーク装置。
【請求項２】
パネルとファンネルとからなるチューブと、前記パネルの内面に形成された蛍光体面と、前記ファンネルのネック部内に設けられ前記蛍光体面に向けて電子ビームを出射する電子銃と、前記ファンネルのコーン部に装着されて前記電子ビームを偏向する偏向ヨーク装置とを備える陰極線管装置であって、前記偏向ヨーク装置が請求項１に記載のものである陰極線管装置。
【発明の詳細な説明】
【０００１】
【発明の属する技術分野】
本発明は、陰極線管に装着される偏向ヨーク装置に関し、特に偏向ヨークからの漏洩磁界を低減する構造に関する。
【０００２】
【従来の技術】
現在、陰極線管装置の周辺に発生する漏洩磁界は、ある規定値以下に抑制することが要求されている。その要求の一つに、国際規格であるＴＣＯがある。このＴＣＯにおいては、２ｋＨｚから４００ｋＨｚのＶＬＦ帯の漏洩磁界は、陰極線管装置の前方５０ｃｍの位置において２５ｎＴ以下にされるべきであると規定されている。
【０００３】
陰極線管装置の周辺に発生する漏洩磁界の中で、周波数範囲が２ｋＨｚから４００ｋＨｚのＶＬＦ帯の主たる発生原因の一つは、陰極線管装置に取り付けられている偏向ヨーク、特に水平偏向コイルである。これらの漏洩磁界の発生量を減らすためには種々の方策がとられており、有効な手段としては、偏向ヨークに一つあるいは複数個のキャンセルコイルを取り付ける方法がある。この種の偏向ヨークは、例えば、特開平５−１９０１１５号公報や特開平６−２４３８００号公報に開示されている。
【０００４】
まず、特開平５−１９０１１５号に記載のものについて、図５を用いて簡単に説明する。この偏向ヨークは、セパレータ１９と、セパレータ１９に巻回して設けられた水平偏向コイル１６と、セパレータ１９の中央部分を覆うように配置されたフェライトコア１５と、水平偏向コイル１６の前方部を覆うように配置されたキャンセルコイルボビン１７と、このキャンセルコイルボビン１７に巻回して設けられたキャンセルコイル１８とを用いて構成されている。この従来技術に係る偏向ヨークにおいては、キャンセルコイル１８を使って発生させた新たな磁界によって、偏向ヨーク本体からの漏洩磁界を低減させている。
【０００５】
次に、特開平６−２４３８００号公報に記載のものについて、簡単に説明する（図示は省略）。この偏向ヨークはボビンと、ボビンの内側に配置された水平偏向コイルと、ボビンの外側に向かって順に配置された垂直偏向コイルおよびコアを備え、さらに銅箔のプリントパターン配線がＹ軸上にＸＺ平面対称に配置されて構成されている。この従来技術に係る偏向ヨークにおける動作は次のとおりである。偏向コイルに偏向電流が供給されると、偏向コイルから漏洩磁界が発生し、この漏洩磁界が銅箔のプリントパターン配線を通過すると、漏洩磁界をキャンセルする方向に磁界を発生し漏洩磁界を低減させている。
【０００６】
【発明が解決しようとする課題】
しかしながら、特開平５−１９０１１５号公報および特開平６−２４３８００号公報に記載のものにおいては、上述したように、偏向ヨークから発生する漏洩磁界を抑制するために、新たに、一つあるいは複数個のキャンセルコイルまたは銅箔のプリントパターン配線を追加しなければならない。したがって、部品点数および作業工程等が増加し、偏向ヨーク製造時の作業効率、およびコストアップ等が問題となる。
【０００７】
本発明は、これら従来の問題点を解決するものであり、新たな部品の追加を行なうことなく、かつ簡単に、偏向ヨークから発生する漏洩磁界を効果的に低減することが可能な偏向ヨークおよびこの偏向ヨークを装着する陰極線装置を提供することを目的とする。
【０００８】
【課題を解決するための手段】
上記目的を達成するため本発明は、電子ビームを水平偏向するための水平偏向磁界を発生する水平偏向コイルと、電子ビームを垂直偏向するための垂直偏向磁界を発生する垂直偏向コイルとを有する偏向ヨークと、前記偏向ヨークに近接して配置された少なくとも１枚の補正回路用プリント基板とを備えた偏向ヨーク装置において、前記補正回路用プリント基板に、水平偏向電流または水平偏向電流に同期した電流が流れる、渦巻き状のプリント配線パターンが形成されていることを特徴とする（請求項１）。
【０００９】
本発明は上記構成により、渦巻き状のプリント配線パターンがコイルを形成してキャンセル磁界を発生するので、新たな部品を追加することなしに偏向ヨークからの漏洩磁界を低減することができる偏向ヨーク装置を提供するものである。
【００１０】
また、本発明の陰極線管装置は、パネルとファンネルとからなるチューブと、前記パネルの内面に形成された蛍光体面と、前記ファンネルのネック部内に設けられ前記蛍光体面に向けて電子ビームを出射する電子銃と、前記ファンネルのコーン部に装着されて前記電子ビームを偏向する偏向ヨーク装置とを備える陰極線管装置であって、前記偏向ヨーク装置が請求項１に記載のものであることを特徴とする（請求項２）。
【００１１】
【発明の実施の形態】
以下、本発明の実施の形態を図面を用いて説明する。
【００１２】
図２は本発明の実施の形態に係る偏向ヨーク装置の正面図、図３は同偏向ヨーク装置の側面図である。図３中の、Ｘ、Ｙ、Ｚおよび直線の矢印は、それぞれ偏向ヨークの左右方向の軸（ｘ軸）、上下方向の軸（ｙ軸）、電子ビーム進行方向の軸（ｚ軸）を示す。
【００１３】
図２および図３に示すように、偏向ヨーク装置１００は絶縁枠１と、絶縁枠１の内側に配置された水平偏向コイル２と、絶縁枠１の外側に配置された垂直偏向コイル３と、垂直偏向コイル３の外側に配置されたフェライトコア８とを有する偏向ヨーク１０１と、偏向ヨーク１０１のｙ軸方向の上方部に配置された補正回路用プリント基板４とから構成されている。補正回路用プリント基板４は、絶縁枠１の前端部５１と後端部５２に固定され、偏向ヨーク１０１の上方側面に沿うように配置されている。補正回路用プリント基板４は、主としてコンバーゼンス補正回路が設けられたものであり、基板上に差動コイル２１が設けられている。コンバーゼンス補正回路用プリント基板４は、偏向ヨーク１０１の下方に配置されていてもよい。
【００１４】
図１は、補正回路用プリント基板４の裏のパターン側（差動コイル２１と反対側）を簡略化して示す平面図である。図１に示すように、補正回路用プリント基板４は、プリント配線パターン（以下、単に「パターン」と呼ぶ）５を備えている。パターン５は、補正回路用プリント基板４の周辺部に沿った四角形の渦巻き状をしており、コイルを形成している。図１は２ターンの渦巻きを示す。パターン５は、水平偏向電流を漏洩磁界キャンセル電流として流して、偏向ヨーク１０１からの漏洩磁界を打ち消すキャンセル磁界を発生する。偏向ヨーク１０１からの漏洩磁界の向きを考慮すると、パターン５は、ｙ軸方向の上方または下方に位置するのが好ましい。
【００１５】
図４は、パターン５と水平偏向コイル２との接続関係を示す回路図である。１対の水平偏向コイル２が並列に接続され、水平偏向コイル２に接続された差動コイル２１の中間点にパターン５が接続されている。パターン５には水平偏向電流が流れる。
【００１６】
上記構成からなる本発明に係る偏向ヨーク装置１００の動作について、図３を用いて説明する。図３中、偏向ヨーク１０１のｚ軸方向前方および後方に描かれた実線の曲線の矢印は、偏向ヨーク１０１から発生する漏洩磁界を示す。また、補正回路用プリント基板４のｚ軸方向前方および後方に描かれた破線の曲線の矢印は、パターン５が発生するキャンセル磁界を示す。水平偏向コイル２に水平偏向電流が供給されると、水平偏向コイル２から漏洩磁界７が発生する。同時にパターン５に水平偏向電流が流れ、その電流によってパターン５から磁界６が漏洩磁界７を打ち消す方向に発生し、その結果、漏洩磁界７を低減することができる。
【００１７】
パターン５は、ターン数が多いほどキャンセル磁界が大きくなる。しかし、ターン数が多すぎると弊害が生じる。第１に、インダクタンスが大きくなって水平偏向電流が小さくなるので、偏向パワーが低下する。第２にキャンセル磁界が大きくなりすぎ、パターン５自体が漏洩磁界の発生源となりうる。そこで、パターン５のターン数はできるだけ少なくしつつ、同時に規格を満たす必要がある。最適なターン数を求めるためには、長さを適宜調整できる導線を用いて実験すればよい。
【００１８】
パターンの最適なターン数および長さが一度決まった後は、そのパターンが形成された基板を用いればよいので、従来のキャンセルコイルに必要とされた組立作業が不要である。
【００１９】
次に、本発明の実施例について説明する。本発明を、５１ｃｍ（２２インチ）ＣＲＴに適用した。図１に示すように、縦、横がそれぞれ８５ｍｍ、８５ｍｍの正方形の補正回路用プリント基板４に幅約４ｍｍのパターン５を正方形渦巻き状に形成した。パターン５の幅は、水平偏向電流（数アンペア）を流せる幅を確保している。また、パターン５の渦巻きの内部に存在する他の金属部との距離は、絶縁の観点から７ｍｍ程度確保するのが好ましい。７ｍｍ程度確保できない場合は、間に貫通穴を介在させるのが好ましい。
【００２０】
上記基板を用いて漏洩磁界のキャンセル効果を確認した結果、ＣＲＴの前方５０ｃｍの位置において、漏洩磁界を２６ｎＴから２１ｎＴに改善することができ、従来のキャンセルコイルと同等の効果があることが確認できた。さらに、追加の部品が存在しないため、従来技術（図５）に比べて偏向ヨークの作成時間を約３分削減できた。
【００２１】
上記実施例では、正方形の渦巻き状のパターンに水平偏向電流が流れる構成としたが、パターン５の形状は正方形に限らず、渦巻状になっていればどんな形でもよい。補正回路用プリント基板の周辺部の空きスペースを利用して、渦巻き状のパターンを形成すればよい。また、パターン５は、水平偏向コイルと直列に接続するものに限られず、水平偏向電流の一部を分流して流す回路構成としてもよい。
【００２２】
【発明の効果】
上述のように、本発明は新たに部品を追加することなく、かつ簡単に、偏向ヨークが発生する漏洩磁界を効果的に低減することができる偏向ヨークおよびこれを装着する陰極線管装置を得ることができる。
【図面の簡単な説明】
【図１】本発明に係るプリント配線パターンが形成された補正回路用プリント基板の平面図
【図２】本発明の偏向ヨーク装置の正面図
【図３】同じく偏向ヨーク装置の側面図
【図４】水平偏向コイルとプリント配線パターンとの接続関係を示す回路図
【図５】従来の偏向ヨーク装置の断面図
【符号の説明】
１　絶縁枠
２　水平偏向コイル
３　垂直偏向コイル
４　補正回路用プリント基板
５　パターン
６　パターン５から発生する磁界
７　偏向ヨークから発生する漏洩磁界
８　フェライトコア
１００　偏向ヨーク装置
１０１　偏向ヨーク
【図１】
2004014347.tif 000003
【図２】
2004014347.tif 000004
【図３】
2004014347.tif 000005
【図４】
2004014347.tif 000006
【図５】
2004014347.tif 000007